(57)【特許請求の範囲】
【請求項１】
相対的に厚肉の第１壁を有する被接続体と薄肉の第２壁を有する被接続体とのいずれにも管を接続可能とすべく、前記第１壁に明けられた第１孔と前記第２壁に明けられて前記第１孔と同径の第２孔との一方に選択的に取り付けられる筒状の管用接続具であって、
前記筒の延びる延設方向の一方側に、前記第１および第２孔への取付部を備えるとともに、他方側に、前記管が接続される管接続部を備え、
前記取付部は、その先端側に、前記第１孔に嵌まる第１嵌合部を有し、かつ、後部側に、前記第２孔に嵌まる第２嵌合部を有し、また、
前記取付部には、前記第１嵌合部よりも先端側に隣接して、前記第１孔の周縁部裏側に掛止められる第１掛止部が突設されるとともに、前記第１嵌合部と前記第２嵌合部との間に、前記第２孔の周縁部裏側に掛止められる第２掛止部が突設され、かつ、前記第２嵌合部の後方に、前記第２孔の周縁部表側に当接可能な当接部が設けられており、
前記第１掛止部は、前記取付部の軸心を挟む両側にそれぞれ備わり、また、前記第２掛止部も、前記軸心を挟む両側にそれぞれ備わり、
前記取付部における、前記軸心を挟む一方側は、内側に撓むことが可能な弾性片となって、その弾性片に一方の前記第１および第２掛止部が設けられており、
前記第１嵌合部における前記延設方向の一部であって、少なくとも前記弾性片側には、前記第２孔の周縁部が進入可能な凹部が設けられ、
前記第２掛止部のうちの、前記弾性片とは反対側に位置する掛止部は、前記凹部に前記第２孔の周縁部が進入した状態で、その第２孔を通過可能な高さとなっている、管用接続具。
【請求項２】
前記当接部には、前記第２掛止部のうちの前記弾性片とは反対側に位置する掛止部と向かい合う部分に、その掛止部から離れるように形成された逃がし部が設けられている、請求項１に記載の管用接続具。
【請求項３】
前記軸心に関し、前記第２嵌合部における軸心は、前記第１嵌合部における軸心よりも、前記弾性片側にずれて位置している、請求項１または２に記載の管用接続具。
【発明の詳細な説明】
【技術分野】
【０００１】
この発明は、壁が厚肉の被接続体にも壁が薄肉の被接続体にも、管を接続することができる、管用接続具に関するものである。
【背景技術】
【０００２】
従来、被接続体としてのボックスに管を接続するための管用接続具として、図２０に示される管用接続具があった（例えば、特許文献１参照）。この管用接続具２２は、一側に、管が嵌着される大径筒部２３を備えるとともに、他側に、ボックス２１の壁２１ａに明けられた挿入孔２１ｂに嵌入する小径筒部２４を備えていた。そして、大径筒部２３と小径筒部２４との間には、前記挿入孔２１ｂの周縁部表側に当接する当接部２５が設けられていた。さらに、小径筒部２４には、挿入孔２１ｂの周縁部裏側に掛止められる爪部２６が設けられていた。ここで、爪部２６は、厚肉の壁２１ａを有するボックス２１にも薄肉の壁を有するボックスにも対応するように、当接部２５からの距離が異なる、厚肉用の爪部２６ａと薄肉用の爪部２６ｂとから成っていた。
【０００３】
【特許文献１】特開平１０−５１９２４
【発明の開示】
【発明が解決しようとする課題】
【０００４】
ところで、前記従来の管用接続具２２にあっては、その管用接続具２２を壁が厚肉のボックス２１に取り付けた場合には、薄肉用の爪部２６ｂは、挿入孔２１ｂ内でその孔の内周面と干渉し閉じられた状態となった。したがって、この状態が長期間に及んだ際には、この爪部２６ｂの復元力が低下してしまうこととなり、このため、取付対象を、壁が厚肉のボックス２１から薄肉のボックスに変更した場合には、既に薄肉用の爪部２６ｂは、爪としての機能を満たさず、管用接続具２２を壁が薄肉のボックスにしっかりと取り付けることが困難となる虞があった。
【０００５】
この発明は、上記した従来の欠点を解決するためになされたものであり、その目的とするところは、壁が厚肉の被接続体から薄肉の被接続体に変更しても支障を来たすことのない管用接続具を提供することにある。
【課題を解決するための手段】
【０００６】
この発明に係る管用接続具は、前記目的を達成するために、次の構成からなる。すなわち、
請求項１に記載の発明に係る管用接続具は、相対的に厚肉の第１壁を有する被接続体と薄肉の第２壁を有する被接続体とのいずれにも管を接続可能とすべく、前記第１壁に明けられた第１孔と前記第２壁に明けられて前記第１孔と同径の第２孔との一方に選択的に取り付けられる筒状の管用接続具である。この管用接続具は、前記筒の延びる延設方向の一方側に、前記第１および第２孔への取付部を備えるとともに、他方側に、前記管が接続される管接続部を備える。そして、前記取付部は、その先端側に、前記第１孔に嵌まる第１嵌合部を有し、かつ、後部側に、前記第２孔に嵌まる第２嵌合部を有する。また、前記取付部には、前記第１嵌合部よりも先端側に隣接して、前記第１孔の周縁部裏側に掛止められる第１掛止部が突設されるとともに、前記第１嵌合部と前記第２嵌合部との間に、前記第２孔の周縁部裏側に掛止められる第２掛止部が突設され、かつ、前記第２嵌合部の後方に、前記第２孔の周縁部表側に当接可能な当接部が設けられる。ここにおいて、前記第１掛止部は、前記取付部の軸心を挟む両側にそれぞれ備わり、また、前記第２掛止部も、前記軸心を挟む両側にそれぞれ備わる。そこで、前記取付部における、前記軸心を挟む一方側は、内側に撓むことが可能な弾性片となって、その弾性片に一方の前記第１および第２掛止部が設けられている。そして、前記第１嵌合部における前記延設方向の一部であって、少なくとも前記弾性片側には、前記第２孔の周縁部が進入可能な凹部が設けられ、前記第２掛止部のうちの、前記弾性片とは反対側に位置する掛止部は、前記凹部に前記第２孔の周縁部が進入した状態で、その第２孔を通過可能な高さとなっている。
【０００７】
この管用接続具によると、厚肉の第１壁を有する被接続体に管を接続するには、始めに、管用接続具を、傾けて、第１掛止部のうちの、弾性片とは反対側に位置する掛止部を、第１壁に明けられた第１孔を通過させる。そして、管用接続具の傾きを戻すようにして、第１掛止部のうちの、弾性片側の掛止部を、弾性片を内側に撓ませるようにして、第１孔を通過させる。こうして、第１嵌合部が第１孔に嵌まるとともに、第１掛止部が、第１孔の周縁部裏側に掛止められ、管用接続具は、第１孔に取り付けられる。そして、この取付けに先立ってあるいはその後に、管を管用接続具における管接続部に接続することで、管は、厚肉の第１壁を有する被接続体に接続される。また、薄肉の第２壁を有する被接続体に管を接続するには、始めに、管用接続具を、傾けて、第１掛止部のうちの、弾性片とは反対側に位置する掛止部を、第２壁に明けられた第２孔を通過させる。そして、管用接続具の傾きを戻すようにして、第１掛止部のうちの、弾性片側の掛止部を、弾性片を内側に撓ませるようにして、第２孔を通過させることで、第１嵌合部を第２孔に嵌める。次いで、第２孔の周縁部を、第１嵌合部に設けられた凹部に進入させ、その状態で、管用接続具を、傾けて、第２掛止部のうちの、弾性片とは反対側に位置する掛止部を、第２孔を通過させる。そして、第２掛止部のうちの、弾性片とは反対側に位置する掛止部を、第２孔の周縁部裏側に掛けるように、管用接続具を、傾けたまま移動させる。その後、管用接続具の傾きを戻すようにして、第２掛止部のうちの、弾性片側の掛止部を、弾性片を内側に撓ませるようにして、第２孔を通過させる。こうして、第２嵌合部が第２孔に嵌まるとともに、第２掛止部が、第２孔の周縁部裏側に掛止められ、管用接続具は、第２孔に取り付けられる。そして、この取付けに先立ってあるいはその後に、管を管用接続具における管接続部に接続することで、管は、薄肉の第２壁を有する被接続体に接続される。このようにして、この管用接続具は、厚肉の第１壁を有する被接続体に対しては、第１嵌合部が第１壁に明けられた第１孔に嵌まり、薄肉の第２壁を有する被接続体に対しては、第２嵌合部が第２壁に明けられた第２孔に嵌まるというように、互いに異なる位置にある第１嵌合部と第２嵌合部が対応しているため、従来技術とは異なり、壁が厚肉の第１壁を有する被接続体に管用接続具を取り付けた際に、管用接続具の第２掛止部が被接続体における第１孔の内周面と干渉することがなく、弾性片の復元力が低下することもないため、壁が厚肉の被接続体から薄肉の被接続体に変更しても支障を来たすことがない。
【０００８】
また、請求項２に記載の発明に係る管用接続具のように、請求項１に記載の管用接続具において、前記当接部には、前記第２掛止部のうちの前記弾性片とは反対側に位置する掛止部と向かい合う部分に、その掛止部から離れるように形成された逃がし部が設けられてもよい。こうして逃がし部が設けられることで、管用接続具を、第２壁に明けられた第２孔に取り付けるにあたって、管用接続具を、傾けて、第２掛止部のうちの、弾性片とは反対側に位置する掛止部を、第２孔を通過させた際に、第２孔の周縁部表側と管用接続具の当接部との干渉を、逃がし部によって避けることができる。
【０００９】
また、請求項３に記載の発明に係る管用接続具のように、請求項１または２に記載の管用接続具において、前記軸心に関し、前記第２嵌合部における軸心は、前記第１嵌合部における軸心よりも、前記弾性片側にずれて位置してもよい。
【発明の効果】
【００１０】
この発明に係る管用接続具によれば、従来技術とは異なり、壁が厚肉の被接続体に管用接続具を取り付けた際に、管用接続具の第２掛止部が被接続体における第１孔の内周面と干渉することがなく、弾性片の復元力が低下することもないため、壁が厚肉の被接続体から薄肉の被接続体に変更しても支障を来たすことがない。
【発明を実施するための最良の形態】
【００１１】
以下、この発明に係る管用接続具を実施するための最良の形態を図面に基づいて説明する。
【００１２】
図１〜図１８は、本発明の一実施の形態を示す。図中符号１、２は、被接続体としてのボックスであり、例えば、コンクリート壁等の壁に埋設されて、スイッチ等の電気器具が収容される。３は、管としての、例えば電線を保護する保護管であり、図示実施の形態においていは波付管からなる。４は、前記ボックス１、２に前記保護管３を接続するための管用接続具である。
【００１３】
管用接続具４は、図１および図２に示すように、相対的に厚肉の第１壁１ａを有するボックス１と薄肉の第２壁２ａを有するボックス２とのいずれにも保護管３を接続可能とすべく、第１壁１ａに明けられた第１孔１ｂと第２壁２ａに明けられて第１孔１ｂと同径（略同径を含む。）の第２孔２ｂとの一方に選択的に取り付けられる筒状の管用接続具である。この管用接続具４は、前記筒の延びる延設方向Ｐの一方側に、前記第１および第２孔１ｂ、２ｂへの取付部５を備えるとともに、他方側に、前記保護管３が接続される管接続部６を備える。
【００１４】
ここで、取付部５は、その先端側に、前記第１孔１ｂに嵌まる第１嵌合部７を有し、かつ、後部側に、前記第２孔２ｂに嵌まる第２嵌合部８を有する。また、取付部５には、第１嵌合部７よりも先端側に隣接して、第１孔１ｂの周縁部裏側１ｃに掛止められる第１掛止部９が突設されるとともに、第１嵌合部７と第２嵌合部８との間に、第２孔２ｂの周縁部裏側２ｃに掛止められる第２掛止部１０が突設され、かつ、第２嵌合部８の後方に、第２孔２ｂの周縁部表側２ｄに当接可能な当接部１１が設けられている。ここにおいて、第１掛止部９は、取付部５の軸心５ａを挟む両側にそれぞれ備わり、また、第２掛止部１０も、前記軸心５ａを挟む両側にそれぞれ備わっている。そして、取付部５における、前記軸心５ａを挟む一方側は、内側に撓むことが可能な弾性片１２となって、その弾性片１２に一方の前記第１および第２掛止部９、１０が設けられている。また、第１嵌合部７における、前記延設方向Ｐの一部（図示実施の形態においては、第２掛止部１０に隣接する部分）であって、少なくとも前記弾性片１２側には、第２孔２ｂの周縁部が進入可能な凹部７ｂ（すなわち、凹部７ｂの横幅は、第２孔２ｂの周縁部の厚みより大きい。）が設けられ、第２掛止部１０のうちの、前記弾性片１２とは反対側に位置する掛止部は、凹部７ｂに第２孔２ｂの周縁部が進入した状態で、その第２孔２ｂを通過可能な高さとなっている。そして、第２掛止部１０、１０の前面は、第１孔１ｂの周縁部表側１ｄに当接可能な当接面１０ｄ、１０ｄとなっている。
【００１５】
具体的には、管用接続具４は、例えば合成樹脂製であって、円筒状に形成されている。そして、管用接続具４は、前記取付部５側が小径筒部４ａとなり、前記管接続部６側が大径筒部４ｂとなって、小径筒部４ａから大径筒部４ｂに移る段部が、前記当接部１１となっている。そして、この当接部１１には、前記第２掛止部１０、１０のうちの前記弾性片１２とは反対側に位置する掛止部と向かい合う部分に、その掛止部から離れるように形成された逃がし部１１ａが設けられている。詳細には、この逃がし部１１ａは、前記当接部１１の前記向かい合う部分を削ることにより、第２嵌合部８から外方に向かうに連れて漸次第２掛止部１０から離れるように傾斜して形成されている。また、前記取付部５の軸心５ａに関し、前記第２嵌合部８における軸心８ａは、前記第１嵌合部７における軸心７ａよりも、前記弾性片１２側にずれて位置している。図示実施の形態においては、第１嵌合部７における軸心７ａは、管接続部６の軸心６ａ上にあり、第２嵌合部８における軸心８ａのみが、弾性片１２側にずれて位置している。
【００１６】
掛止部においては、第１掛止部９は、取付部５の軸心５ａを挟んで互いに対向する位置に、一対設けられている。そして、これら第１掛止部９、９の一方、すなわち弾性片１２側の掛止部が、取付部５の内方に移動可能な第１可動掛止部９ａとなり、もう一方が、取付部５の内方へ移動しない第１固定掛止部９ｂとなっている。同様に、第２掛止部１０もまた、取付部５の軸心５ａを挟んで互いに対向する位置に、一対設けられている。そして、これら第２掛止部１０、１０の一方、すなわち弾性片１２側の掛止部が、取付部５の内方に移動可能な第２可動掛止部１０ａとなり、もう一方が、取付部５の内方へ移動しない第２固定掛止部１０ｂとなっている。そして、第１および第２可動掛止部９ａ、１０ａにおいては、その前面側には、軸心５ａと直交する方向に突出する突端に向かうに連れて後方に進むように傾斜した傾斜面９ｃ、１０ｃが形成されている。特に、第２可動掛止部１０ａにあっては、前面側において、突端側が、この傾斜面１０ｃとなり、基端側が、前述の当接面１０ｄとなっている。ところで、取付部５には、先端から管接続部６に側に向かって、切り込み１４、１４が形成されており、この切り込み１４、１４に挟まれた部分が、弾性的に撓むことができる前記弾性片１２となっている。そこで、弾性片１２が取付部５の内側に撓むことで、この弾性片１２に設けられた可動掛止部９ａ、１０ａは、取付部５の内方に移動することができる。
【００１７】
また、弾性片１２には、その弾性片１２を強制的に、取付部５の内側へ撓ませるべく、ドライバー等の工具（図示せず）が係合する係合部１５が設けられている。詳細には、係合部１５は、前記工具となるドライバーの先端が嵌まる凹部からなる。そして、この係合部１５は、弾性片１２における、当接部１１よりも管接続部６側の、当接部１１に隣接する位置に設けられている。
【００１８】
一方、管接続部６には、コの字状に穿設された通孔６ｂに囲まれて、弾性的に撓むことができる係合片６ｃ、６ｃが、軸心６ａを挟んで互いに対向する位置に形成されている。そして、この係合片６ｃの先端部分には、内側に突出する突起６ｄが設けられている。そこで、この突起６ｄが、管接続部６に挿入される保護管３の凹溝３ａと係合することで、その保護管３を保持するようになっている。また、係合片６ｃの外側には、押圧片６ｅが折れ曲がるようにして連設されている。そして、この押圧片６ｅを指で押圧することで、係合片６ｃを外側に撓ませて、突起６ｄを保護管３の凹溝３ａから離脱させることができる。
【００１９】
次に、以上の構成からなる管用接続具４の作用効果について説明する。この管用接続具４によると、厚肉の第１壁１ａを有するボックス１に保護管３を接続するには、始めに、図９に示すように、管用接続具４を、傾けて、第１掛止部９、９のうちの、弾性片１２とは反対側に位置する掛止部（第１固定掛止部９ｂ）を、第１壁１ａに明けられた第１孔１ｂを通過させる。そして、図１０に示すように、管用接続具４の傾きを戻すようにして、第１掛止部９、９のうちの、弾性片１２側の掛止部９（第１可動掛止部９ａ）を、弾性片１２を内側に撓ませるようにして、第１孔１ｂを通過させる。こうして、第１嵌合部７が第１孔１ｂに嵌まるとともに、第１掛止部９、９が、第１孔１ｂの周縁部裏側１ｃに掛止められ、管用接続具４は、第１孔１ｂに取り付けられる（図１参照）。そして、この取付けに先立ってあるいはその後に、保護管３を管用接続具４における管接続部６に接続することで、保護管３は、厚肉の第１壁１ａを有するボックス１に接続される。
【００２０】
また、薄肉の第２壁２ａを有するボックス２に保護管３を接続するには、始めに、図１１に示すように、管用接続具４を、傾けて、第１掛止部９、９のうちの、弾性片１２とは反対側に位置する掛止部（第１固定掛止部９ｂ）を、第２壁２ａに明けられた第２孔２ｂを通過させる。そして、図１２、図１３に示すように、管用接続具４の傾きを戻すようにして、第１掛止部９、９のうちの、弾性片１２側の掛止部９（第１可動掛止部９ａ）を、弾性片１２を内側に撓ませるようにして、第２孔２ｂを通過させることで、第１嵌合部７を第２孔２ｂに嵌める。次いで、図１４に示すように、管用接続具４を上に動かして、第２孔２ｂの周縁部を、第１嵌合部７に設けられた凹部７ｂに進入させ、その状態で、図１５、図１６に示すように、管用接続具４を、傾けて、第２掛止部１０、１０のうちの、弾性片１２とは反対側に位置する掛止部１０（第２固定掛止部１０ｂ）を、第２孔２ｂを通過させる。そして、図１７に示すように、第２掛止部１０、１０のうちの、弾性片１２とは反対側に位置する掛止部１０（第２固定掛止部１０ｂ）を、第２孔２ｂの周縁部裏側２ｃに掛けるように、管用接続具４を、傾けたまま下に移動させる。その後、図１８に示すように、管用接続具４の傾きを戻すようにして、第２掛止部１０、１０のうちの、弾性片１２側の掛止部１０（第２可動掛止部１０ａ）を、弾性片１２を内側に撓ませるようにして、第２孔２ｂを通過させる。こうして、第２嵌合部８が第２孔２ｂに嵌まるとともに、第２掛止部１０、１０が、第２孔２ｂの周縁部裏側２ｃに掛止められ、管用接続具４は、第２孔２ｂに取り付けられる（図２参照）。そして、この取付けに先立ってあるいはその後に、保護管３を管用接続具４における管接続部６に接続することで、保護管３は、薄肉の第２壁２ａを有するボックス２に接続される。
【００２１】
このようにして、この管用接続具４は、厚肉の第１壁１ａを有するボックス１に対しては、第１嵌合部７が第１壁１ａに明けられた第１孔１ｂに嵌まり、薄肉の第２壁２ａを有するボックス２に対しては、第２嵌合部８が第２壁２ａに明けられた第２孔２ｂに嵌まるというように、互いに異なる位置にある第１嵌合部７と第２嵌合部８が対応しているため、従来技術とは異なり、壁が厚肉の第１壁１ａを有するボックス１に管用接続具４を取り付けた際に、管用接続具４の第２掛止部１０がボックス１における第１孔１ｂの内周面と干渉することがなく、弾性片１２の復元力が低下することもないため、壁が厚肉のボックス１から薄肉のボックス２に変更しても支障を来たすことがない。
【００２２】
また、当接部１１に、逃がし部１１ａが設けられることで、管用接続具４を、第２壁２ａに明けられた第２孔２ｂに取り付けるにあたって、管用接続具４を、傾けて、第２掛止部１０、１０のうちの、弾性片１２とは反対側に位置する掛止部１０（第２固定掛止部１０ｂ）を、第２孔２ｂを通過させた際に、第２孔２ｂの周縁部表側２ｄと管用接続具４の当接部１１との干渉を、逃がし部１１ａによって避けることができる（図１６参照）。
【００２３】
なお、本発明は、上述した実施の形態に限定されるわけではなく、その他種々の変更が可能である。例えば、ボックス１、２は、壁に埋設されなくとも、スラブ等に埋設されるものであってもよく、また、埋設されずに用いられてもよい。また、ボックス１、２には、電気器具が収容されなくとも、水栓器具等が収容されてもよく、また、器具が収容されることなく、単に保護管３（管）が接続されるものであってもよい。さらには、被接続体は、ボックス１、２でなくとも、取付けのための孔が明けられた壁を有するものであれば、どのようなものであってもよい。
【００２４】
また、一方の、第１掛止部９（第１可動掛止部９ａ）と第２掛止部１０（第２可動掛止部１０ａ）とは、延設方向Ｐに並ぶように配置されているが、これら掛止部９ａ、１０ａは、図１９に示すように、延設方向Ｐに並ぶことなくずれて配置されてもよい。同様に、もう一方の、すなわち他方の、第１掛止部９（第１固定掛止部９ｂ）と第２掛止部１０（第２固定掛止部１０ｂ）とは、延設方向Ｐに並ぶように配置されているが、これら掛止部９ｂ、１０ｂは、延設方向Ｐに並ぶことなくずれて配置されてもよい（図示省略）。
【００２５】
また、一方の第１および第２掛止部９、１０がある側のみが、内側に撓むことが可能な弾性片１２となっているが、他方の第１および第２掛止部９、１０がある側もまた、内側に撓むことが可能な他の弾性片となっていてもよい。
【図面の簡単な説明】
【００２６】
【図１】この発明の一実施の形態の、厚肉のボックスに管用接続具を取り付けた状態を示す縦断面図である。
【図２】同じく、薄肉のボックスに管用接続具を取り付けた状態を示す縦断面図である。
【図３】同じく、管用接続具の正面図である。
【図４】同じく、管用接続具の平面図である。
【図５】同じく、管用接続具の底面図である。
【図６】同じく、管用接続具の縦断面図である。
【図７】同じく、図６におけるＡ−Ａ線による断面図である。
【図８】同じく、管用接続具の斜視図である。
【図９】同じく、厚肉のボックスに管用接続具を取り付ける、第１過程を示す縦断面図である。
【図１０】同じく、第２過程を示す断面図である。
【図１１】同じく、薄肉のボックスに管用接続具を取り付ける、第１過程を示す縦断面図である。
【図１２】同じく、第２過程を示す縦断面図である。
【図１３】同じく、第３過程を示す縦断面図である。
【図１４】同じく、第４過程を示す縦断面図である。
【図１５】同じく、第５過程を示す縦断面図である。
【図１６】同じく、第６過程を示す縦断面図である。
【図１７】同じく、第７過程を示す縦断面図である。
【図１８】同じく、第８過程を示す縦断面図である。
【図１９】この発明の他の実施の形態の、管用接続具の斜視図である。
【図２０】従来の管用接続具を示す縦断面図である。
【符号の説明】
【００２７】
１  ボックス（被接続体）
１ａ  第１壁
１ｂ  第１孔
１ｃ  周縁部裏側
２  ボックス（被接続体）
２ａ  第２壁
２ｂ  第２孔
２ｃ  周縁部裏側
２ｄ  周縁部表側
３  保護管（管）
４  管用接続具
５  取付部
５ａ  軸心
６  管接続部
７  第１嵌合部
７ａ  軸心
７ｂ  凹部
８  第２嵌合部
８ａ  軸心
９  第１掛止部
１１  当接部
１１ａ  逃がし部
１２  弾性片
Ｐ  延設方向
【図１】
0005044333.tif 000002
【図２】
0005044333.tif 000003
【図３】
0005044333.tif 000004
【図４】
0005044333.tif 000005
【図５】
0005044333.tif 000006
【図６】
0005044333.tif 000007
【図７】
0005044333.tif 000008
【図８】
0005044333.tif 000009
【図９】
0005044333.tif 000010
【図１０】
0005044333.tif 000011
【図１１】
0005044333.tif 000012
【図１２】
0005044333.tif 000013
【図１３】
0005044333.tif 000014
【図１４】
0005044333.tif 000015
【図１５】
0005044333.tif 000016
【図１６】
0005044333.tif 000017
【図１７】
0005044333.tif 000018
【図１８】
0005044333.tif 000019
【図１９】
0005044333.tif 000020
【図２０】
0005044333.tif 000021